(57)【要約】【課題】  ケース本体の性質上、天板３ｃと、結線盤3aの高さを低くできない状態にあっても、作業者が余長の光ファイバ４４を収容部２４に収容する作業が楽になるような姿勢でできるケースに対して用いることのできる蓋体４を提供する。【解決手段】  天板3cにおける自由端までの幅寸法Ｌ１と、結線盤3aにおける自由端までの幅寸法Ｌ２は、周壁５８の自由端までの寸法Ｌ４よりも大きく、 二つの側板3b、3bにおける自由端までの幅寸法Ｌ３は、周壁５８の自由端までの寸法Ｌ４よりも小さくし、 蓋体４は、両側に折り曲げ状の垂れ片４ｃを形成し、結線盤３ａにおける自由端に対応させる形状は、結線盤３ａの自由端に対応させ、天板３ｃの庇部１１に対応させる蓋体４の形状は、蓋体４の表面が庇部１１と同高となり、かつ蓋体側から庇部側に向けて延出した幅広の飛出片４ｄの全域が庇部１１の内側に潜り込む状態で位置するように形成してある。 【選択図】    図３
2006003835.tif 000002
【特許請求の範囲】
【請求項１】
天板3cと、天板3cに平行する状態で配置される結線盤3aと、天板3cと結線盤3aとの間に夫々配置される二つの側板3b、3bとを角形に配置すると共に、
上記天板3c、結線盤3a及び二つの側板3b、3bで囲まれる角形の空間の一面を塞ぐように備えさせた裏側板3dとでケース本体を構成し、
ケース本体３の表側面には、ケース外部からケース内５の光ファイバ44等を操作するための比較的大きな開口部3eを備えさせ、
さらに上記ケース本体３の開口部3eに対しては着脱自在に蓋体４を被せ付けてケース７を構成し、さらに、
上記ケース本体３の内において外部から表側面の開口部3eを通してケース内の光ファイバ４４等を操作可能とする位置には、大きな曲率で添え付け状に配置される光ファイバを受け止める為の基板２５と、光ファイバを大きな曲率で基板に添わせた状態で配置した場合に、周方向外部に向けて光ファイバが逃げ出すのを防ぐために基板面上に柵状に配設した周壁５８、２７等とで構成される光ファイバ収容部２４を備えさせている光受信機において、
上記天板3cにおける裏側板3dから開口縁方向に向けて張出す庇部１１の自由端までの幅寸法Ｌ１と、
結線盤3aにおける裏側板3dから開口縁方向に向けて張出す部材の自由端までの幅寸法Ｌ２は、夫々裏側板3dから柵状に配設した周壁５８、２７等の自由端までの寸法Ｌ４よりも大きく形成してあり、
上記二つの側板3b、3bにおける裏側板3dから開口縁方向に向けて延びる部材の自由端までの幅寸法Ｌ３は、夫々裏側板3dから柵状に配設した周壁５８、２７等の自由端までの寸法Ｌ４と同様に乃至はそれよりも小さく形成してあり、
一方、上記ケース本体３の開口部3eを覆う為に開口部3eに対して着脱自在に装着する蓋体４は、両側に折り曲げ状の垂れ片４ｃを形成具備させ、上記天板３ｃと、結線盤３ａの幅寸法Ｌ１、Ｌ２に対する上記二つの側板3b、3bにおける幅寸法L3の差Ｇ１、Ｇ２を補うように構成し、夫々の垂れ片４ｃにおける自由端は、上記二つの側板3b、3bにおける夫々の自由端に対接させて両者の接合面の面方向に向けて摺動自在に構成してあり、
さらに、結線盤３ａにおける上記自由端に対応させる蓋体４の形状は、蓋着状態において、両側の折曲状の垂れ片４ｃを含む部材の内面形状と、結線盤３ａにおける上記自由端との形状を対応させ、蓋体４の内側に結線盤３ａにおける上記自由端が収まる形状に形成してあり、
さらに上記天板３ｃにおける庇部１１に対応させる蓋体４の形状は、蓋体４を閉じた状態では蓋体４の表面が庇部１１の表面と同高となり、かつ蓋体側から庇部側に向けて延出した幅広の飛出片４ｄの全域が蓋体４を結線盤３ａの側から天板３ｃの方向に進行させたときに、夫々庇部１１の内側に潜り込む状態で位置するように形成してあり、 
さらに蓋体４の両側における垂れ片４ｃの自由端部には、蓋体４を結線盤３ａの側から天板３ｃの方向に進行させたときに、側板3bの自由端側と掛合するようにした掛合部４ｅを備えさせてあることを特徴とする光受信機。
【請求項２】
上記蓋体４における結線盤３ａ側の端部の一部には、結線盤３ａの側に向けて舌片４ｆを突設させ、その舌片４ｆの形状を、蓋体４を結線盤３ａの側から天板３ｃの方向に進行させたときに、結線盤３ａの自由端に形成する切れ目６ａに収まるように補完的な対応形状に形成してあることを特徴とする請求項１記載の光受信機。 
【発明の詳細な説明】
【技術分野】
【０００１】
本発明は、大きな曲率で添え付け状に配置される光ファイバを受け止める為の基板と、光ファイバを大きな曲率で基板に添わせた状態で配置した場合に、周方向外部に向けて光ファイバが逃げ出すのを防ぐために基板面上に柵状に配設した周壁とで構成される光ファイバ収容部を備えるケース本体と、ケース本体の開口部に対しては着脱自在に蓋体を被せ付けて構成する光受信機に関する。
【背景技術】
【０００２】
光受信機においては、ケース内の光ファイバ収容部に余長の光ファイバを収容させている。余長の光ファイバを光ファイバ収容部に収容させる際、周壁に添え付け作業中誤って光ファイバをぶつけて傷けたり、折るおそれがある。
よって、このような光ファイバの損傷事故を防止する為に、外部から光ファイバを操作する表側面の開口部や、周壁は、作業しやすい広さがあることが望まれる。
そこで出願人会社における試作品にあっては、図１、図２に表れているように、光受信機１におけるケース本体３の表側面には、ケース外部からケース内５の光ファイバ４４等を操作する為に、他の面と比較して大きな開口部３ｅを備えさせ、さらに、上記大きな開口部３ｅにおいては、外部の電線と結線するための部材を配備する結線盤３ａは一定の広さが要求されるために狭くすることはできないが、それ以外の天板３ｃと、二つの側板３ｂ、３ｂは、夫々の開口縁方向に向けて飛出す部材の自由端を、柵状に配設した周壁５８等の自由端より低く構成し、余長の光ファイバを光ファイバ収容部２４における周壁に添え付けて収容させる作業を、広い範囲の空間でやり易いように構成していた。（例えば、非特許文献１、非特許文献２、非特許文献３参照）
【０００３】
【非特許文献１】特願２００３−１８８５４１明細書、図面
【非特許文献２】特願２００３−２７０１５２明細書、図面
【非特許文献３】特願２００３−２７０１５３明細書、図面
【発明の開示】
【発明が解決しようとする課題】
【０００４】
しかしながら、光受信機１を建物の軒先の壁面に設置する場合、雨水の飛沫や、霧などからケース７内の電子機器を保護する為には、天板３ｃは防滴可能に広く大きく構成されることが望まれる。
そこで天板３ｃを広く大きくし、それに伴って側板３ｂ、３ｂの幅も広く（高く）することも考えられるが、そのようにすると周辺の周壁が邪魔になり、余長の光ファイバを、光ファイバ収容部２４に添え付けて収容する作業が非常にやりづらくなる問題点が発生する。
【０００５】
本件出願の目的は、作業者が余長の光ファイバ４４を光ファイバ収容部２４に収容させる場合、ケース７における比較的大きな開口部３ｅから、余長の光ファイバ４４を光ファイバ収容部２４の周壁に添え付けて収容作業できる作業性の良い光受信機を提供しようとするものである。
特に本件出願は、天板３ｃと、結線盤3aの高さを低くできない状態にあっても、作業者が余長の光ファイバ４４を光ファイバ収容部２４に収容させる作業の姿勢を考慮し、体を中心にして両手を左右に大きく広げて作業ができるように、両側の二つの側板3b、3bの高さを低くすることにより、作業者が余長の光ファイバ４４を光ファイバ収容部２４に収容させる作業の姿勢を楽にさせるようにした光受信機を提供しようとするものである。
本件出願の目的は、作業者が余長の光ファイバ４４を光ファイバ収容部に収容させた後は、ケース７における作業用の比較的大きな開口部３ｅを蓋体４で確実に覆って、ケース７内の、余長の光ファイバ、電子機器等を保護することが出来る光受信機を提供しようとするものである。
さらに上記蓋体４が、比較的大きな開口部３ｅを蓋体４で確実に覆うようにしたものであっても、保守点検時には蓋体４を外して内部の点検をすることが出来る光受信機を提供しようとするものである。
他の目的は、光受信機１を建物の軒先の壁面に設置する場合、ケース７が雨水の飛沫や霧などからケース７内の電子機器を保護し、故障少なく使用できる光受信機を提供しようとするものである。
他の目的は、蓋体４を薄くコンパクトにでき、丈夫で破損しにくく、ケース内の機器類を保護し、故障少なく使用が出来る光受信機を提供しようとするものである。
他の目的及び利点は図面及びそれに関連した以下の説明により容易に明らかになるであろう。
【課題を解決するための手段】
【０００６】
本願発明における光受信機１は、天板3cと、天板3cに平行する状態で配置される結線盤3aと、天板3cと結線盤3aとの間に夫々配置される二つの側板3b、3bとを角形に配置すると共に、上記天板3c、結線盤3a及び二つの側板3b、3bで囲まれる角形の空間の一面を塞ぐように備えさせた裏側板3dとでケース本体を構成し、ケース本体３の表側面には、ケース外部からケース内５の光ファイバ44等を操作するための比較的大きな開口部3eを備えさせ、さらに上記ケース本体３の開口部3eに対しては着脱自在に蓋体４を被せ付けてケース７を構成し、さらに、上記ケース本体３の内において外部から表側面の開口部3eを通してケース内の光ファイバ４４等を操作可能とする位置には、大きな曲率で添え付け状に配置される光ファイバを受け止める為の基板２５と、光ファイバを大きな曲率で基板に添わせた状態で配置した場合に、周方向外部に向けて光ファイバが逃げ出すのを防ぐために基板面上に柵状に配設した周壁５８、２７等とで構成される光ファイバ収容部２４を備えさせている光受信機において、上記天板3cにおける裏側板3dから開口縁方向に向けて張出す庇部１１の自由端までの幅寸法Ｌ１と、  結線盤3aにおける裏側板3dから開口縁方向に向けて張出す部材の自由端までの幅寸法Ｌ２は、夫々裏側板3dから柵状に配設した周壁５８、２７等の自由端までの寸法Ｌ４よりも大きく形成してあり、  上記二つの側板3b、3bにおける裏側板3dから開口縁方向に向けて延びる部材の自由端までの幅寸法Ｌ３は、夫々裏側板3dから柵状に配設した周壁５８、２７等の自由端までの寸法Ｌ４と同様に乃至はそれよりも小さく形成してあり、一方、上記ケース本体３の開口部3eを覆う為に開口部3eに対して着脱自在に装着する蓋体４は、両側に折り曲げ状の垂れ片４ｃを形成具備させ、上記天板３ｃと、結線盤３ａの幅寸法Ｌ１、Ｌ２に対する上記二つの側板3b、3bにおける幅寸法L3の差Ｇ１、Ｇ２を補うように構成し、夫々の垂れ片４ｃにおける自由端は、上記二つの側板3b、3bにおける夫々の自由端に対接させて両者の接合面の面方向に向けて摺動自在に構成してあり、さらに、結線盤３ａにおける上記自由端に対応させる蓋体４の形状は、蓋着状態において、両側の折曲状の垂れ片４ｃを含む部材の内面形状と、結線盤３ａにおける上記自由端との形状を対応させ、蓋体４の内側に結線盤３ａにおける上記自由端が収まる形状に形成してあり、さらに上記天板３ｃにおける庇部１１に対応させる蓋体４の形状は、蓋体４を閉じた状態では蓋体４の表面が庇部１１の表面と同高となり、かつ蓋体側から庇部側に向けて延出した幅広の飛出片４ｄの全域が蓋体４を結線盤３ａの側から天板３ｃの方向に進行させたときに、夫々庇部１１の内側に潜り込む状態で位置するように形成してあり、さらに蓋体４の両側における垂れ片４ｃの自由端部には、蓋体４を結線盤３ａの側から天板３ｃの方向に進行させたときに、側板3bの自由端側と掛合するようにした掛合部４ｅを備えさせたものである。
【０００７】
また好ましくは、蓋体４における結線盤３ａ側の端部の一部には、結線盤３ａの側に向けて舌片４ｆを突設させ、その舌片４ｆの形状を、蓋体４を結線盤３ａの側から天板３ｃの方向に進行させたときに、結線盤３ａの自由端に形成する切れ目６ａに収まるように補完的な対応形状に形成してあればよい。
【発明の効果】
【０００８】
以上のように本願発明は、天板3cにおける裏側板3dから開口縁方向に向けて張出す庇部１１の自由端までの幅寸法Ｌ１と、結線盤3aにおける裏側板3dから開口縁方向に向けて張出す部材の自由端までの幅寸法Ｌ２は、夫々裏側板3dから柵状に配設した周壁５８、２７等の自由端までの寸法Ｌ４よりも大きく形成するものであるから、大きく形成できる天板3cは雨水の飛沫や霧などからケース７内の電子機器を保護することができ、また大きくできる結線盤3aは、外部の電線と結線するための部材及びネームプレートなどを配備するに充分な広さを確保できる効果がある。
【０００９】
しかも天板3cと、結線盤３ａを大きくするものであっても、本来の目的である作業者が余長の光ファイバ４４等を光受信機のケース本体３における光ファイバ収容部２４に収容する作業をする場合、ケース本体３の表側面には、ケース外部からケース内５の光ファイバ44等を操作するための比較的大きな開口部3eを備えさせ、外部から表側面の比較的大きな開口部3eを通してケース内の光ファイバ４４等を操作可能とする位置に、大きな曲率で添え付け状に配置される光ファイバを受け止める為の基板２５と基板面上に柵状に配設した周壁５８等とで構成される光ファイバ収容部２４を備えさせているから、ケース７における比較的大きな開口部３ｅから、余長の光ファイバ４４等を光ファイバ収容部２４の周壁５８等に添え付けて収容作業がやりやすい作業上の効果がある。
【００１０】
特に本願発明にあっては、天板３ｃと、結線盤3aの高さを低くできない状態にあっても、作業者が余長の光ファイバ４４を光ファイバ収容部２４に収容させる作業の姿勢を考慮し、体を中心にして両手を左右に大きく広げて作業ができるように、
二つの側板3b、3bにおける裏側板3dから開口縁方向に向けての幅寸法Ｌ３が、
夫々裏側板3dから柵状に配設した周壁５８等の自由端までの寸法Ｌ４と同様に乃至はそれよりも小さく形成してあるから、
作業者が余長の光ファイバ４４を光ファイバ収容部２４に収容させる作業の姿勢を楽にできる作業上の効果がある。
【００１１】
さらに本願発明は、天板3cと、結線盤3aを大きくし、二つの側板3b、3bを小さく低くするものであっても、ケース本体３の開口部3eを覆う為に開口部3eに対して着脱自在に装着する蓋体４は、両側に折り曲げ状の垂れ片４ｃを形成具備させ、上記天板３ｃと、結線盤３ａの幅寸法Ｌ１、Ｌ２に対する上記二つの側板3b、3bにおける幅寸法L3の差Ｇ１、Ｇ２を補うように構成し、夫々の垂れ片４ｃにおける自由端は、上記二つの側板3b、3bにおける夫々の自由端に対接させて両者の接合面の面方向に向けて摺動自在に構成してあるから、
作業者が余長の光ファイバ４４を光ファイバ収容部に収容させた後は、ケース７における作業用の変形している開口部３ｅを蓋体４で綺麗に覆って、ケース７内の余長の光ファイバ、電子機器等を保護することが出来る効果がある。
さらに上記蓋体４が、比較的大きな開口部3eを蓋体４で確実に覆うようにしたものであっても、蓋体４は着脱自在に装着するように構成してあるから、保守点検時には蓋体４を外して内部の点検をすることができる使用上の効果がある。
【００１２】
さらに本願発明にあっては、天板3cと、結線盤3aの高さを高くし、二つの側板3b、3bは小さく低くすることによって、これらで構成される開口部3eを変形にしたものであるが、そのため、開口部3eを塞ぐ為の蓋体４は上記天板３ｃと、結線盤３ａの幅寸法Ｌ１、Ｌ２に対する上記二つの側板3b、3bにおける幅寸法L3の差Ｇ１、Ｇ２を補うように両側に折り曲げ状の垂れ片４ｃを形成具備するので、蓋体４を薄くコンパクトにしても丈夫で、破損しにくく、ケース内の機器類を保護する効果がある。
【発明を実施するための最良の形態】
【００１３】
以下本願発明の実施の形態を示す図１乃至図１１について説明する。これらの図の内、図１及び図２は、ケース７におけるケース本体３と、ケースの中に収納される電子機器13及び光ファイバ収容部24の位置関係を示す正面図及び分解斜視図である。なお、これらの図において天板３ｃ、側板3b、出入口６に係わる構成は、出願人会社における本件出願前の試作品に係わるものを表示するものであり、図３乃至図１１に係わる構成とは一部相違する。
以下順次図面を用いて実施例を説明する。
【００１４】
符号３は、周知のようにオフィスビルやマンションなどの出入り口近くや屋内に設置する光受信機１におけるケース本体を示し、蓋体４を開閉自在に備える。
ケース本体３は、プラスチックなどの成形可能材料を用いて形成される部材を用いて構成される。構成材としての天板3cと、天板に平行する状態で配置される結線盤3aと、天板3cと結線盤3aとの間に夫々配置される二つの側板3bとを角形に配置すると共に、上記天板3c、結線盤及び二つの側板3b、3bで囲まれる角形の空間５の一面を塞ぐように備えさせた裏側板3dを組み合わせ、一体的に合着させることにより構成されている。
ケース本体３の表側面には、ケース外部からケース内５の光ファイバ44等を操作するための比較的大きな開口部3eを備えさせ、さらに上記ケース本体３の開口部3eに対しては着脱自在に蓋体４を被せ付けてケース７を構成している。
【００１５】
上記ケース本体３の内において外部から表側面の開口部3eを通してケース内の光ファイバ４４等を操作可能とする位置には、大きな曲率で添え付けに状に配置される光ファイバを受け止める為の基板２５と、光ファイバを大きな曲率で基板に添わせた状態で配置した場合に、周方向外部に向けて光ファイバが逃げ出すのを防ぐために基板面上に柵状に配設した周壁５８、２７等とで構成される光ファイバ収容部２４を備えさせている。
【００１６】
上記天板3cにおける裏側板3dから開口縁方向に向けて張出す庇部１１の自由端までの幅寸法Ｌ１と、結線盤3aにおける裏側板3dから開口縁方向に向けて張出す部材の自由端までの幅寸法Ｌ２は、図８から明らかなように夫々裏側板3dから柵状に配設した周壁５８等の自由端までの寸法Ｌ４よりも大きく形成してある。
上記二つの側板3b、3bにおける裏側板3dから開口縁方向に向けて延びる部材の自由端までの幅寸法Ｌ３は、図８から明らかなように夫々裏側板3dから柵状に配設した周壁５８等の自由端までの寸法Ｌ４と同様に乃至はそれよりも小さく形成してある。
【００１７】
上記ケース本体３の開口部3eを覆う為に開口部3eに対して着脱自在に装着する蓋体４は、両側に折り曲げ状の垂れ片４ｃを形成具備する。これらの垂れ片４ｃは上記天板３ｃと、結線盤３ａの幅寸法Ｌ１、Ｌ２に対する上記二つの側板3b、3bにおける幅寸法L3の差Ｇ１、Ｇ２を補うように構成してある。
夫々の垂れ片４ｃにおける自由端は、図３に表れているように下向きで、上記二つの側板3b、3bにおける夫々の上向きの自由端に隙間なく対接させ、両者の接合面の面方向（図中斜め左右方向）に向けて摺動自在に構成してある。
【００１８】
図３、図７に表れている結線盤３ａにおける上記上向きの自由端に対応させる蓋体４の形状は、蓋着状態において、両側の折曲状の垂れ片４ｃを含む部材の内面形状と、結線盤３ａにおける上記上向きの自由端との形状を対応合着を可能に対応させ、蓋体４の下側に向いている内面側に対して結線盤３ａにおける上記自由端が収まる形状に形成してある。
【００１９】
４ａは蓋体４の止具を示し、図４（Ｃ）に表れているように蓋体４の先に弾力性を有する掛合用の爪片４ａを同時成型により一体的に備えさえ、閉蓋時には図示のように天板３ｃにおける折り曲げ状形成の庇部１１の一部に掛かり合いするようにしてある。なお図３の状態で滑り止め凹凸４ｋを押さえると爪片４ａの掛合は外れる。
上記天板3cにおける庇部１１に対応させる蓋体４の形状は、蓋体４を閉じた状態では蓋体４の表面が庇部１１の表面と同高となり、かつ蓋体側から庇部側に向けて延出した幅広の飛出片４ｄ、４ｄの全域が蓋体４を結線盤３ａの側から天板３ｃの方向に進行させたときに、夫々庇部１１の内側に潜り込む状態で位置するように図６において蓋体４の先端から上方に突設させる形状に形成してある。
【００２０】
蓋体４の両側における垂れ片４ｃの自由端部には、図５に現れているように内向きの掛合部４ｅを備えている。掛合部４ｅの位置は、図５のように庇１１に対して飛出片4dがいまだ達する以前において、蓋体４の手前側４hが結線盤３ａよりも飛び出している位置に設けられている。
そして蓋体４を結線盤３ａの側から天板３ｃの方向に進行させたときに（図５で示される位置から、図３で示される位置に変位させたとき）、図５に現れている側板3bの上部における自由端3f側に備えさせた係部１２に掛合するようにしてある。
なお、側板3bの自由端3f側に備えさせた係部１２と、これに掛合するように蓋体４の両側における垂れ片４ｃに設けた掛合部４ｅとの関係は、図１０のようにしてもよい。即ち、側板3bの自由端3f側に縦溝18aと、それに連なる横溝18bとからなる係部１８を設け、一方、垂れ片４ｃには図示のように掛合部４ｅを設け、図７の状態から図３の状態に向けて蓋体４を閉めると、掛合部４ｅは縦溝18aを通って下降し、続いてそれに連なる横溝18bを通って進行する。このようにして垂れ片４ｃに設けた掛合部４ｅと側板3bの自由端3f側に備えさせた係部１８とは係合する。
【００２１】
上記蓋体４における結線盤３ａ側の端部の一部には、図３に示されているように結線盤３ａの側に向けて舌片４ｆを突設させ、その舌片４ｆの形状を、蓋体４を結線盤３ａの側から天板３ｃの方向に進行させたとき（図５で示される位置から、図３で示される位置に前進させたとき）に、結線盤３ａの自由端に形成する切れ目６ａに収まるように補完的な対応形状に形成してある。なお切れ目６ａの形状が図１１のように下方が大きい場合は、図３で示される位置に前進させるときには舌片４ｆは、切れ目６ａに容易に入るが、上方には抜け難い。従って、蓋体４において、側板3bの自由端側と掛合する掛合部４ｅの役割を担うことになる。
【００２２】
次にベース板７６を備える側板について説明する。上記二つの側板3b、3bの内のいずれか一方（例えば光受信部１３がある、或いはケーブルが付される等、重心が偏在している場合は重心に近い側）の側板3bに、ベース板７６を定置する為の対応外形形状の細長い添え付け凹部３０を設ける。この添え付け凹部３０には長手方向の寸法が側板の幅寸法よりも長い寸法で、側板3bの長手方向長さよりも著しく短い寸法の細長く形成されている平板状のベース板７６を、表面が側板3bの表面と同高になる状態で着脱自在に添え付ける。その添え付け状態の維持は、側板3bの側に掛合凹部３２ａ、３３ａを構成すると共に、ベース板の側には開放用の爪77aを備えている一体形成の掛合片７７を掛合凹部３２ａに向けた方向で突出具備させ、それを側板3bの掛合凹部３２ａに係脱自在に係合させて維持させるようにしてある。３２ｂ、３３ｂは嵌合孔で、ベース板７６の内面に一体状に形成した嵌合突片７８を選択的に抜き差し可能に嵌合させる為のもので、装着状態では外観的に隠れるようにしてある。また上記爪７７ａは、装着状態では掛合凹部（孔）３２ａ、３３ａの位置関係から外観的に僅かに表出する位置に設けてある。
さらに、上記側板3bにおいては、上記細長い添え付け凹部３０と同じ深さの第２添え付け凹部３１、４ｂを側板の長手方向を横切る方向に向けて設け、第２添え付け凹部３１の幅に対応して嵌合可能とする形状の上記ベース板７６の中間部をその第２添え付け凹部３１、４ｂに着脱自在に装着することにより、状態では上記側板３ｂの下面と、上記板状のベース板７６における同高状になっている下面とでケース７を卓上において樹立状に定置できるようにしてある。
その添付け状態での維持は、前述の場合の考えと同じで、爪７７ａが掛合凹部３３ａに嵌合し、嵌合突片７８が嵌合孔３３ｂに抜き差し自在に嵌合する。なお、第２添え付け凹部３１，４ｂを図３において右側に寄せると、掛合凹部３２ａと掛合片７７だけでも、ベース板７６を添付状態は維持できる。従って、掛合凹部３３ａと、嵌合孔３２ｂと、嵌合孔３３ｂとは省略できる。また、第２添え付け凹部４ｂは蓋体４がそこに位置したので、蓋体４の側面に設けたことにより第２添え付け凹部３１、４ｂにベース板７６を装着した状態ではベース板７６が蓋体４のロック片の役を果たすことになり、卓上で樹立させて使用する場合に物が蓋体４に当たって蓋体を開放させて、ケース内の光ファイバを傷つけるという不測の事故を防止する役割を果たす。
【００２３】
上記裏側板３ｄの裏側面は、ケース７を卓上へ定置可能に平らに構成する。図９に示されるように、裏側面に突起４８を設ける場合は、平らにする為、複数の突起48、48、48、48は同じ高さにして、ケース７を卓上へ平らに定置できるようにしてある。さらに、上記裏側板３ｄの裏側面には、複数の掛止部（だるま孔）49ａ、49ｂ、49ｃが備えさせてある。
だるま孔49ａ、49ｂは、図９に表れる状態でケース７を壁面に対して添え付け可能になるように構成し、だるま孔49ｂ、49ｃは、側板３ｂに沿わせたベース板７６が下になる状態でケース７を壁面に対して添え付け可能になるように構成してある。
【００２４】
ケース本体３の表側面には、ケース外部からケース内の光ファイバ44等を操作するための比較的大きな開口部3eを備えさせ、さらに上記ケース本体の開口部3eに対しては着脱自在に蓋体４を被せ付けてケース７を構成し、さらに、上記ケース本体３において、外部から表側面の開口部3eを通してケース内５の光ファイバ44等を操作可能とする位置には、大きな曲率で添え付け状に配置される光ファイバを受け止める為の基板２５と、光ファイバを大きな曲率で基板２５に添わせた状態で配置した場合に、周方向外部（矢印８０）に向けて光ファイバが逃げ出すのを防ぐために基板面上に柵状に配設した周壁58、27等で構成される光ファイバ収容部24を備えさせている。
５は、ケース本体３における収納空間を示し、Ｏ／Ｅ変換手段を備える光受信部13と、余長の光ファイバ44、45、46、47を収容する為の収容部24とを備えている。ケース本体３の下側の結線盤3aは、例えば底部3d、側部3bを含む本体部分とプラスチック材で一体に又は各別材を組み合わせて形成してある。結線盤3aに備える８、９は公知のテレビ信号を取り出す為の出力端子突出口を示す。
【００２５】
なお光受信機１の設置は、図３の状態で机上に、また側板３ｂに沿わせたベース板７６が下になる状態で机上に、さらには、背面に周知のだるま孔49a複数を配設し、それを利用することにより天板3cを上にして、または側板３ｂに沿わせたベース板７６を下にして建物壁面に装着して用いる。
なお、本件明細書においては、設置状態が三態様あるので「上下及び前後」の言葉を用いての方向の特定はできない。しかし多くの場合、方向を称する場合は、図４の状態で左手前の突出口８が見える面を下と称し、右側の天板３ｃの側を上と称する。また図３（Ａ）で上を向いている面（蓋４の表面）を前と称し、図示の下面を後と称する。
上記光受信部１３と余長の光ファイバ収容部２４とは、図１、２に表れているように光ファイバ収容部２４が図中上側となるように上下に重合させ、光ファイバの余長部分を収納する場合に上部に空間が生じて作業性が向上するようにしてある。
【００２６】
光受信部１３は、通常知られているように外部はシールド効果を有する金属製のケース（シャーシ）１４で構成されており、内部には、光信号をテレビ受像機用の入力信号に変換する為の手段、通常、Ｏ／Ｅ変換手段として知られている電子回路が収められている。また必要に応じては周知のように増幅回路が収まっている。光受信部１３のケース１４は任意の着脱自在に構成されたケース本体３側の取付具、例えば鈎片１０で着脱自在に保持される。ケース（シャーシ）１４の表面には、基板２５の表面よりも高くなるように高さを設定した光アダプタ２０が着脱自在に固着されている。この光アダプタ２０には、ケース１４内のＯ／Ｅ変換手段に連なる光ファイバ１７の先端に付されている光コネクタ21aが抜差自在に接続されている。光コネクタ21aはケース１４に設けた孔を通してケース１４の内に収納できるようにしても良いし、ケース１４の蓋が開閉できるように光ファイバ１７のリード線を長くしてあっても良い。１６、１６ａは周知のテレビ信号用出力端子及びテレビ信号用出力レベル測定端子の存在を示す。
【００２７】
余長の光ファイバ収容部２４において、２５は基板を示し、プラスチックまたは金属などの硬質平板材で形成してある。基板２５は任意の手段、例えばケース本体３に対して直接的に、又はケース本体３に装着されている上記のケース１４に対して着脱自在にねじ部材などを用いて装着する。図１、２に現れる２５aは基板２５から延長させたカバーを示し、リード線１７を保護する為のものである。２５ｂは基板２５の上に設けたコネクタ仮止め具の存在を示すものである。
基板２５の上面に対しては、図示のように光ファイバ４４、４５、４６、４７の添え付けを可能とする安全曲率の範囲内で小さい曲率に形成されている周壁２６ａ，２７ａを有する第１巻枠２６と、第２巻枠２７とを並置させてある。安全曲率としては光ファイバのメーカーによって種々な説があるが、一般的には半径が20mm〜30mmあれば安全な曲率といわれている。
【００２８】
第１巻枠２６と、第２巻枠２７とは、基板２５が合成樹脂で成型される場合には一体材で成型される。周壁26a,27aには、光ファイバの滑りを止める為に、必要に応じて上下方向に長いスリットが周方向に多数配設してあってもよい。更に巻枠の平面形状は真円であっても良いし、安全曲率以上の曲率を備える楕円形であっても良い。
また、巻枠の周壁26a,27aは、基板２５とは別体で形成し、基板２５の所定位置に任意の接合手段、例えば基板２５に多数の孔を穿ち、巻枠の側から延びる多数の爪を嵌合させる手段を用いて、或いは接着剤などを用いて密着状態に装着してもよい。
２８は周壁26a,27aに添わせる光ファイバ４４、４５、４６、４７が跳ね上がるのを阻止するために予め周壁26a,27aの上部位置に均等に割り付けて配置された複数の跳止爪を示す。この跳止爪２８は周壁26a,27aの上部位置から放射方向に向けて一体材で張り出し状に備えさせてある。上記張り出し状の跳止爪における下方の基板２５には、必要に応じて、周知のように成形時に必要な型（中子）を抜き出す為に透孔を設けておくとよい。
【００２９】
上記基板２５の上面に対し、前述のごとく並置されている第１巻枠２６と、第２巻枠２７について説明する。これらの並置の状態は、第１巻枠２６と第２巻枠２７の夫々の中心点位置26f,27fを中心にして、上記安全曲率が得られる半径で描かれる円弧（周壁26a,27aの外周面とほぼ一致する）の一部が半径方向において相互に重合267するように、第１巻枠２６と、第２巻枠２７の中心点位置26f,27fを相互に近づけてある。このように配置すると当然のことながら図１から明らかなように第１巻枠２６と第２巻枠２７の左右全体の幅寸法は狭くなり、専有面積は小さくなる。
【００３０】
第１巻枠２６と第２巻枠２７との上記重合部267においては、図１に現れているように構成することにより、第１巻枠２６の外周と、第２巻枠２７の外周に対し、図から明らかなように夫々個別に光ファイバを安全曲率の範囲内で巻付け可能に構成してある。
その巻付け可能な構成を先ず第１巻枠２６について説明する。図１に現れているように相手方である第２巻枠２７に対して、両側に第１巻枠２６の外周円弧面に向けて夫々開口させた開口部27hを有する空間R4aを構成し、かつ、その空間R4aの第１巻枠寄りには光ファイバ添付の為の円弧状の周壁26aを形成する。
次に、対応相似的に形成されている第２巻枠２７について説明する。図１に現れているように相手方である第１巻枠２６に対して、両側に第２巻枠２７の外周円弧面に向けて夫々開口させた開口部26hを有する空間R4dを構成し、かつ、その空間R4dの第２巻枠寄りには光ファイバ添付の為の円弧状の周壁27aを形成する。
【００３１】
さらに、光ケーブル出入口６における導入路Ｒ１と、第１巻枠２６における左回り巻き付けの始端26dとの間に、光ファイバを通過させる為の上記安全曲率以上の曲率に形成した光ファイバ通路R4bが設けられている。この光ファイバ通路R4bは、第２巻枠２７の中間位置において中心点27f寄りに湾曲させてある。  このような通路Ｒ４bを設けることにより、通常、光ケーブル出入口６から挿入される光ファイバは、第１巻枠２６，第２巻枠２７に対して右回りに巻けるのであるが、これを図から理解できるように、逆向きの左回りに巻き付け可能になる。また上記構成により第２巻枠２７は見ためで巻枠要素27ｃと、巻枠要素27ｄと、巻枠要素27ｅとに分かれる。
なお、光ファイバ通路R4a、R4b、R4dにおいては、夫々の周壁26a、27a、27gに対向する面に対して光ファイバを案内する壁面が構成されている。
【００３２】
基板２５の上面に対しては、上記第１巻枠２６と第２巻枠２７の夫々の小さい曲率を有する周壁26a,27aの外周から遠く離れた位置に、第１巻枠２６と第２巻枠２７を取り囲むように、相互に適当な間隔を隔てて複数個所において光ファイバの外周位置規制用の跳止壁２９ｂを夫々自立状に並設してある。外周位置規制用の跳止壁２９ｂが並設してある位置は、第１巻枠２６と第２巻枠２７の周壁26a、27aから大きな間隙を隔てて光ファイバを大きな曲率で配置することを許容するように選定してある。上記跳止壁２９ｂの上部には夫々対応する第１巻枠２６と、第２巻枠２７に向けて延出させた爪２９ａを備えさせ、光ファイバが上方に向けて跳ね上がらないように形成してある。
【００３３】
これらの複数の爪２９ａと、上記複数の跳止爪２８との配列は、図１に示してあるように平面形状において、跳止爪２８の先端と、複数の爪２９ａの先端が相互に入り組んだ状態に配置されている。このことは光ファイバ４４、４５、４６、４７が第１巻枠２６と第２巻枠２７の夫々の周壁26a、27aから近い位置にて巻かれた場合は、複数の跳止爪２８によってその浮き上がりは防止され、光ファイバが曲率半径大きく、夫々の周壁26a、27aから離れた遠い位置に巻かれた場合は、複数の爪２９ａによってその浮き上がりは防止され、図１のように光ファイバが直線状態或いはやや湾曲した状態では、上方に向けて飛び出すことができないように交互に入れ込み状態で配列してある。
【００３４】
基板２５の上面において、３４、３５は公知の第１と第２のスプライスホルダの存在を示し、光ファイバ４４と４７、４５と４６とを夫々接続するための公知の第１と第２のメカニカルスプライス３６、３７を着脱自在に保持する為のものである。
配設位置としては、邪魔にならないように図１における第１巻枠２６と第２巻枠２７の中間位置の上方に選定してある。
基板２５において、基板２５の上面とほぼ同じ高さに配設してある光アダプタ２０が存在する隅部は、基板２５を欠如させ、光ファイバ４７の自由端に付着させた光コネクタ21bを光アダプタ２０の受口２２に着脱自在に接続できるようにしてある。
【００３５】
光ケーブルの出入口６近くの基板２５の上面においては、出入口６から巻枠２７に向けて大きな曲率で２芯の光ケーブル４１や、２芯（又は単芯）の光ケーブル４２の出入りを導くために緩やかに上昇するスロープが付された通路Ｒ１が形成されている。
出入口６の近くには上下から光ケーブル４１、４２を弾力的に挟み付ける為に通常知られているように上下の当たり面に弾力部材を備える挟着用部材から成る挟着具３９a、３９bが配設されており、挿入された光ケーブル４１、４２を着脱自在に保持している。
【００３６】
図１、２に現れる構成のものに光ケーブルを敷設する作業は、光ケーブルの出入口６から先端の光ファイバ４４、４５を先頭にして光ファイバ収容部２４に２芯の光ケーブル４１を挿入する。また必要に応じて２芯（又は単芯）の光ケーブル４２をも挿入し、固定する。この状態で通常知られている第１と第２のメカニカルスプライス３６、３７を利用する接続手段（他の任意周知の接続手段でもよい）を用いて光ファイバ４４と４７、及び光ファイバ４５と４６とを接続する。この接続作業においては通常知られている工具を用いるので、光ファイバ４４、４５、４６、４７は比較的長くなければならない。例えば５０cm以上であることが望ましい。作業員の都合によっては１００cm以上の場合もある。
【００３７】
上記のようにして光ファイバ相互が接続された後は、図に現れているように、これらのループ状になっている余長の光ファイバ（余分な長い光ファイバ）を光ファイバ収容部２４に対して綺麗に納めなければならない。
このように引き込まれた光ファイバの余長部分を邪魔にならないように丸め、小嵩に収納する場合、大小多数の巻態様を選択してきっちり、過不足無くきれいに収納することができる。
なお図面においてＲ１〜Ｒ１２は光ファイバを配設する場所（通路）を示すものである。
例えば第１の態様は、二つの巻枠２６、２７の外周に沿って、通路Ｒ２、Ｒ３、Ｒ７、Ｒ６、Ｒ５、Ｒ１０を渡って１巻の長さを長く巻き付ける。
第２の態様は、二つの巻枠２６、２７のいずれか一方の巻枠の外周に倣って最も短く巻き付ける。
第３の態様は、第１巻枠２６と第２巻枠２７の周壁から間隙を隔てて光ファイバを大きな曲率で配置することを許容するように配設されている複数の外周位置規制用の跳止壁２９ｂに沿わせて、通路Ｒ２、Ｒ８、Ｒ６、Ｒ９を渡って１巻の長さを最も長く巻く。
【００３８】
第４の態様は、通路Ｒ１、Ｒ４ｂ、Ｒ９、Ｒ６、Ｒ７、Ｒ３のように、斜めになる通路Ｒ４ｂを利用する巻き方である。このような巻き方を利用すると第１巻枠２６，第２巻枠２７に対して右回り（通路Ｒ３からＲ７に向けての巻き方）に巻くべき光ファイバを、逆向きの左回り（通路Ｒ１０からＲ５に向けての巻き方）に巻き付け可能にする。
従って、挿入口６から通路Ｒ２に向けて入れた複数本の光ファイバを右回りに巻枠に巻いたり、左回り状に取り出したりすることができ、固定されている器具２０に対し、左から光ファイバを接続できるようになり、光ファイバをきれいに巻いて整理することができる。
第５の態様は、通路Ｒ１１、Ｒ１２を利用する例がある。ここの中間には第１と第２のスプライスホルダ３４、３５が存在固定されている。従って第１と第２のメカニカルスプライス３６、３７を用いて光ファイバ相互を接続した後は、その第１と第２のメカニカルスプライス３６、３７を第１と第２のスプライスホルダ３４、３５に対して着脱自在に装着することにより、図示のようにこれらに接続される光ファイバを安定させることができる。また、光アダプタ２０に対して光コネクタ２１を介して接続される光ファイバ４７も安定状態を維持する。
【００３９】
このように光ファイバ接続後、余長部分を収納する場合、上記多数の態様の巻き方を適宜選択利用することにより、光ファイバの余りの長さが大きく、しかも、ループ状で、そのループの長さが適当で定かでない場合でも、光ファイバを仕上がりよく巻き付け、格好の良い仕上がりにすることが可能になる。
しかも上記態様の巻き方は夫々巻枠２６、２７に対して緩く巻き付けても、きつく巻き付けても、巻枠の安全曲率以下にはならないので、光ファイバの曲率が小さくなって損傷することを気にしなくても、必ず安全曲率以上の曲率で巻くことができるようになる。
【００４０】
上記のようにして、ケース本体３の内に光受信部１３と、余長の光ファイバ収容部２４とを任意の手段で装着し、光ファイバ収容部２４に光ファイバを納めた後は通常の利用方法によって利用される。
この場合外部に対しても長く連なっている光ケーブル４１の中間をつまみ、ケース本体３に設けられている出入口６における切れ目6aの上方から切れ目6aを通して出入口６に光ケーブル４１を存置させ、任意の手段によって固定する。
次に蓋４を閉じる。蓋４には予め切れ目6aに対応する大きさの舌片４ｆが一体的に形成されている。従って蓋４を閉じると切れ目6aはきれいに塞がれる。
その後は出入口６から引き出されている光ケーブル４２に例えば家屋５４内におけるメディアコンバータ５０、パソコン５１を接続して光信号を利用する。又出入口９の接続端子１６から引き出された同軸ケーブルにはセットトップボックス５２、テレビ受像機５３を接続して利用する。
【００４１】
なお、符号５８は、光ファイバを大きな曲率で配置させた場合に、外部に向けて逃げ出すのを防ぐための周壁で、内面は上記安全曲率の範囲内でカーブさせてある。この周壁５８は必要に応じて上記それぞれは独立して立設されている複数の外周位置規制用の跳止壁２９ｂと連続させて、一体に形成するとよい。
以上のように第１巻枠２６と第２巻枠２７との配置、構成を図１のように構成することにより、平面的な専有面積を著しく小さくすることができる。それにより、ケースの外形形状をより小型、コンパクトにすることが可能になる。
【００４２】
光受信機１の設置は三態様ある。第１の態様は、図３の状態で机上に設置する態様。第２の態様は、側板３ｂに沿わせたベース板７６を下にした状態で机上に設置する態様。
第３の態様は、図９の状態で、または図９（Ａ）における右側を上にして建物壁面に装着して設置する態様である。
第１の態様で設置する場合は、図３に表れるように、裏側板３ｄの裏側面が下に、蓋体４が上になるような状態で机上に設置する。裏側板３ｄの裏側面に設けた同じ高さの突起48、48、48、48によって、光受信機１は卓上へ平らに定置されることになる。この態様では、図１に示される光ファイバ収容部２４の光ファイバ４４等の保守点検が便利である。
次に第２の態様で設置する場合は、まず、側板3bの添え付け凹部３０に添え付けられるベース板７６を外す。ベース板７６を外すには、ベース板７６に備えさせた開放用の爪77aを図３の上方向に押しながら、掛合片７７を掛合凹部３２ａから引き抜き、さらに嵌合突片７８を嵌合孔３２ｂから抜くとベース板７６は外れる。
次に、外したベース板７６を略９０度回転させて向きを変え、側板3bの第２添え付け凹部３１、４ｂに装着する。この装着は、まず嵌合突片７８を嵌合孔３３ｂに嵌合させ、そして掛合片７７を掛合凹部３３ａに係合させて装着する。
すると、側板３ｂの下面と板状のベース板７６における下面とは同じ高さとなって装着されることになる。そして、光受信機１を側板３ｂに沿わせたベース板７６が下になるような状態で机上に設置する。
上記側板３ｂの下面と、上記板状のベース板７６における同高状になっている下面とでケース７を卓上において樹立状に定置されることになる。この状態だと机上の専有面積が小さくなり、かつ、ベース板７６の上面も活用できる空間活用状の効果がある。
最後に、第３の態様で設置する場合は、上記裏側板３ｄの裏側面に備えさせた、複数の掛止部（だるま孔）49ａ、49ｂ、49ｃを利用して、建物壁面に装着する。
だるま孔49ａ、49ｂを利用する場合には、図９に表れる状態で光受信機１は建物壁面に装着されることになる。だるま孔49ｂ、49ｃを利用する場合には、
側板３ｂに沿わせたベース板７６が下になる状態でケース７を壁面に装着されることになる。
なお、第２の態様から第１又は第３の態様へ設置替えするときは、上記側板3bの第２添え付け凹部３１、４ｂに添え付けられるベース板７６を外し、ベース板７６の向きを変えて側板3bの添え付け凹部３０に装着した後に第１又は第３の態様で設置すると良い。
【図面の簡単な説明】
【００４３】
【図１】ケースにおけるケース本体と、ケースの中に収納される光ファイバ収容部との位置関係を示す正面図。なお、図において天板、側板、出入口の構成は、出願人会社における本件出願前の試作品に係わるものを表示するものである。
【図２】ケースにおけるケース本体と、ケースの中に収納される電子機器、光ファイバ収容部の位置関係を示す分解斜視図。なお、図において天板、側板、出入口の構成は、出願人会社における本件出願前の試作品に係わるものを表示するものである。
【図３】光受信機のケース本体と蓋体との関係を説明する為の斜視図。（Ａ）は、光受信機全体の斜視図で、蓋体が閉じた状態を示す。（Ｂ）は、ケース本体と、蓋体と、光ケーブル出入口との関係を説明する為の部分破断斜視図。（Ｃ）は、ケース本体と、蓋体と、光ケーブル出入口との関係を説明する為の部分破断した断面図。
【図４】（Ａ）は図３（Ａ）におけるＥ−Ｅ線断面図。（Ｂ）は図３（Ａ）におけるＦ−Ｆ線断面図。（Ｃ）は図３（Ａ）におけるＧ−Ｇ線断面図。
【図５】光受信機全体の斜視図で、庇に対して飛出片が未だ達する以前の状態を示す。
【図６】蓋体を説明する為の図で、蓋体の内側からみた図。
【図７】光受信機のケース本体と蓋体との関係を説明する為の斜視図で蓋着前の状態を示す。
【図８】ケース本体における天板、側板、結線盤、光ファイバ収容部、周壁との関係を説明する為の図。
【図９】（Ａ）は光受信機の裏側板からみた図。（Ｂ）は、光受信機を（Ａ）図における左側から見た図。
【図１０】側板の自由端側に備えさせた係部と、蓋体の垂れ片に設けた掛合部の異なる例を説明する為の図で、（Ａ）は一部破断した斜視図、（Ｂ）は（Ａ）のＸ−Ｘ線断面図。
【図１１】舌片４ｆと切れ目６ａの異なる例を説明する為の図。
【符号の説明】
【００４４】
１・・・光受信機、３・・・ケース本体、３ａ・・・結線盤、３ｂ・・・側板、３ｃ・・・天板、３ｄ・・・裏側板、３ｅ・・・開口部、４・・・蓋体、４ｂ・・・第２添え付け凹部、４ｃ・・・垂れ片、４ｄ・・・飛出片、４ｅ・・・掛合部、４ｆ・・・舌片、５・・・収納空間、６・・・光ケーブル出入口、６ａ・・・切れ目、７・・・ケース、８・・・ＴＶ出力端子、９・・・ＴＶ出力端子、１２・・・係部、１３・・・光受信部、電子機器、１４・・・ケース（シャーシ）、１５・・・回路要素（Ｏ／Ｅ変換器、増幅器）、１６・・・出力端、１７・・・光ファイバ、２０・・・光アダプタ、２１・・・コネクタ、２４・・・光ファイバ収容部、２５・・・基板、２６・・・第１巻枠、２６ａ・・・壁、２７・・・第２巻枠、２７ａ・・・壁、２８・・・跳止爪、４１・・・光ケーブル、４２・・・光ケーブル、４４〜４７・・・光ファイバ、４８・・・突起、７６・・・ベース板、８０・・・矢印
【図１】
2006003835.tif 000003
【図２】
2006003835.tif 000004
【図３】
2006003835.tif 000005
【図４】
2006003835.tif 000006
【図５】
2006003835.tif 000007
【図６】
2006003835.tif 000008
【図７】
2006003835.tif 000009
【図８】
2006003835.tif 000010
【図９】
2006003835.tif 000011
【図１０】
2006003835.tif 000012
【図１１】
2006003835.tif 000013